(57)【要約】    【課題】      簡易かつ安価な回路構成で手間をかけずに最適な測光領域を設定し、露光制御の精度を改善すること。    【解決手段】  制御部１３０は、携帯端末装置１００が折り畳まれてデジタルカメラスタイルを採っている場合は、センサ１１０の画角全体を測光領域として設定する一方、携帯端末装置１００が開かれて自分撮りスタイルを採っている場合は、センサ１１０の画角の中央付近を測光領域として設定する。姿勢検出部１４０は、ヒンジ部１５０の状態から携帯端末装置１００のスタイルがデジタルカメラスタイルであるか自分撮りスタイルであるかを検出する。ヒンジ部１５０は、携帯端末装置１００の筐体の長手方向略中央に配設され、筐体の長手方向に平行な軸および筐体の短手方向に平行な軸の２軸周りに筐体の半分ずつを互いに回転可能に支持している。  【選択図】      図１
2006079021.tif 000002
【特許請求の範囲】
【請求項１】
折り畳まれた姿勢および開かれた姿勢に自在に筐体を変形させるヒンジ部と、
前記ヒンジ部の状態から前記筐体の姿勢を検出する検出手段と、
検出された姿勢に応じた測光領域を設定する制御手段と、
設定された測光領域を測光する測光手段と、
測光結果に従った露光制御を行って被写体を撮像する撮像手段と、
を有することを特徴とする撮像装置。
【請求項２】
前記制御手段は、
前記筐体が折り畳まれた姿勢である場合は、前記撮像手段の撮像範囲全体を測光領域に設定する一方、前記筐体が開かれた姿勢である場合は、前記撮像手段の撮像範囲の一部分を測光領域に設定することを特徴とする請求項１記載の撮像装置。
【請求項３】
前記制御手段は、
前記筐体が開かれた姿勢である場合は、前記撮像手段の撮像範囲の中央付近を測光領域に設定することを特徴とする請求項２記載の撮像装置。
【請求項４】
前記制御手段は、
ユーザによって撮像モードが指定された場合は、前記筐体の姿勢よりも撮像モードを優先して測光領域を設定することを特徴とする請求項１記載の撮像装置。
【請求項５】
前記制御手段によって設定された測光領域の範囲を示す測光領域枠を生成する生成手段と、
生成された測光領域枠を前記撮像手段の撮像範囲に重ねて表示する表示手段と、
をさらに有することを特徴とする請求項１記載の撮像装置。
【請求項６】
請求項１から請求項５のいずれかに記載の撮像装置を有することを特徴とする携帯端末装置。
【請求項７】
被写体を撮像して画像を取得する撮像手段と、
取得された画像を前記撮像手段の撮像方向と同一方向または反対方向に向かって表示する表示手段と、
前記撮像手段と前記表示手段が同一方向を向く姿勢であるか否かを検出する検出手段と、
前記撮像手段と前記表示手段が同一方向を向いている場合は、測光領域を前記撮像手段の撮像範囲の一部分に設定する一方、前記撮像手段と前記表示手段が反対方向を向いている場合は、測光領域を前記撮像手段の撮像範囲全体に設定する制御手段と、
設定された測光領域を測光する測光手段と、
を有することを特徴とする携帯端末装置。
【請求項８】
折り畳まれた姿勢および開かれた姿勢に自在に筐体を変形させるヒンジ部を備えた撮像装置における撮像方法であって、
前記ヒンジ部の状態から前記筐体の姿勢を検出するステップと、
検出された姿勢に応じた測光領域を設定するステップと、
設定された測光領域を測光するステップと、
測光結果に従った露光制御を行って被写体を撮像するステップと、
を有することを特徴とする撮像方法。
【請求項９】
被写体を撮像して画像を取得する撮像手段と、取得された画像を前記撮像手段の撮像方向と同一方向または反対方向に向かって表示する表示手段と、を備えた撮像装置における撮像方法であって、
前記撮像手段と前記表示手段が同一方向を向く姿勢であるか否かを検出するステップと、
前記撮像手段と前記表示手段が同一方向を向いている場合は、測光領域を前記撮像手段の撮像範囲の一部分に設定する一方、前記撮像手段と前記表示手段が反対方向を向いている場合は、測光領域を前記撮像手段の撮像範囲全体に設定するステップと、
設定された測光領域を測光するステップと、
を有することを特徴とする撮像方法。
【発明の詳細な説明】
【技術分野】
【０００１】
本発明は、撮像装置および撮像方法に関し、特に、ヒンジ部を備えて折り畳み可能な携帯端末装置に搭載される撮像装置および撮像方法に関する。
【背景技術】
【０００２】
一般に、カメラなどの撮像装置は、撮像前に絞りやシャッター時間を調節してレンズに入射する光量を制御（以下、「露光制御」という）し、撮像して得られる映像信号のレベルをほぼ一定にしている。露光制御が行われる際には、被写体の周囲の明るさを測定する測光が行われ、測光の結果に応じて絞りやシャッター時間が決定される。
【０００３】
ところで、被写体の周囲は一様な明るさではないため、例えば画角の範囲全体を測光領域に設定し、測光領域全体の明るさの平均値に基づいて露光制御が行われることがある。しかし、このような測光領域の設定では、例えば逆光時に人物を撮像すると、人物だけが暗い画像となってしまう。
【０００４】
そこで、例えば特許文献１においては、ディスプレイに表示されたプレビュー画像中、ユーザが特に見たい領域をペンで指定し、その領域を重点的に測光することにより、所望の明るさの画像が得られるような露光制御を行うことが開示されている。
【０００５】
さらに、特許文献２には、写真画面内の水平方向および垂直方向の距離分布および輝度分布を検出するエリアセンサを用いて、撮像時の露光制御が適正となる測光領域を設定することが記載されている。すなわち、特許文献２には、エリアセンサを用いた測距の結果からカメラの構え方（画面の長手方向が左右になるか、上下になるか）を検出し、構図全体を考慮した露光制御を行うことが記載されている。
【特許文献１】特開平１１−１９６３２６号公報
【特許文献２】特開２００３−３０２６６９号公報
【発明の開示】
【発明が解決しようとする課題】
【０００６】
しかしながら、上述した従来の撮像装置においては、測光領域の設定に手間がかかったり複雑な演算を要したりするという問題がある。すなわち、特許文献１に記載の技術においては、最適な露光制御を行うためには、ユーザが撮像を行うたびに測光領域を設定する必要がある。
【０００７】
また、特許文献２に記載の技術においては、エリアセンサの出力が信号処理されて測光領域が設定されるが、この信号処理を行うために回路規模や演算量が増大する。また、多数の受光素子を必要とするエリアセンサを用いるため、コストの低減にも限界があるという問題がある。
【０００８】
本発明は、かかる点に鑑みてなされたものであり、簡易かつ安価な回路構成で手間をかけずに最適な測光領域を設定し、露光制御の精度を改善することができる撮像装置および撮像方法を提供することを目的とする。
【課題を解決するための手段】
【０００９】
本発明の撮像装置は、折り畳まれた姿勢および開かれた姿勢に自在に筐体を変形させるヒンジ部と、前記ヒンジ部の状態から前記筐体の姿勢を検出する検出手段と、検出された姿勢に応じた測光領域を設定する制御手段と、設定された測光領域を測光する測光手段と、測光結果に従った露光制御を行って被写体を撮像する撮像手段と、を有する構成を採る。
【００１０】
この構成によれば、ヒンジ部の状態から筐体の姿勢を検出し、この姿勢に応じて設定された測光領域を測光するため、筐体の姿勢によって被写体が限定される場合に、被写体に最適な測光領域を容易に設定することができ、簡易かつ安価な回路構成で手間をかけずに最適な測光領域を設定し、露光制御の精度を改善することができる。
【００１１】
本発明の携帯端末装置は、被写体を撮像して画像を取得する撮像手段と、取得された画像を前記撮像手段の撮像方向と同一方向または反対方向に向かって表示する表示手段と、前記撮像手段と前記表示手段が同一方向を向く姿勢であるか否かを検出する検出手段と、前記撮像手段と前記表示手段が同一方向を向いている場合は、測光領域を前記撮像手段の撮像範囲の一部分に設定する一方、前記撮像手段と前記表示手段が反対方向を向いている場合は、測光領域を前記撮像手段の撮像範囲全体に設定する制御手段と、設定された測光領域を測光する測光手段と、を有する構成を採る。
【００１２】
この構成によれば、撮像手段と表示手段が同一方向を向いている場合には測光領域を撮像範囲の一部分に設定し、撮像手段と表示手段が反対方向を向いている場合には測光領域を撮像範囲全体に設定するため、ユーザが表示画像を視認しながらユーザ自身を撮像する場合はユーザ自身の位置を測光するとともに、ユーザが表示画像を視認しながら風景などを撮像する場合は風景全体を測光するという自動制御が行われ、簡易かつ安価な回路構成で手間をかけずに最適な測光領域を設定し、露光制御の精度を改善することができる。
【００１３】
本発明の撮像方法は、折り畳まれた姿勢および開かれた姿勢に自在に筐体を変形させるヒンジ部を備えた撮像装置における撮像方法であって、前記ヒンジ部の状態から前記筐体の姿勢を検出するステップと、検出された姿勢に応じた測光領域を設定するステップと、設定された測光領域を測光するステップと、測光結果に従った露光制御を行って被写体を撮像するステップと、を有するようにした。
【００１４】
この方法によれば、ヒンジ部の状態から筐体の姿勢を検出し、この姿勢に応じて設定された測光領域を測光するため、筐体の姿勢によって被写体が限定される場合に、被写体に最適な測光領域を容易に設定することができ、簡易かつ安価な回路構成で手間をかけずに最適な測光領域を設定し、露光制御の精度を改善することができる。
【００１５】
本発明の撮像方法は、被写体を撮像して画像を取得する撮像手段と、取得された画像を前記撮像手段の撮像方向と同一方向または反対方向に向かって表示する表示手段と、を備えた撮像装置における撮像方法であって、前記撮像手段と前記表示手段が同一方向を向く姿勢であるか否かを検出するステップと、前記撮像手段と前記表示手段が同一方向を向いている場合は、測光領域を前記撮像手段の撮像範囲の一部分に設定する一方、前記撮像手段と前記表示手段が反対方向を向いている場合は、測光領域を前記撮像手段の撮像範囲全体に設定するステップと、設定された測光領域を測光するステップと、を有するようにした。
【００１６】
この方法によれば、ユーザが表示画像を視認しながらユーザ自身を撮像する場合はユーザ自身の位置を測光するとともに、ユーザが表示画像を視認しながら風景などを撮像する場合は風景全体を測光するという自動制御が行われ、簡易かつ安価な回路構成で手間をかけずに最適な測光領域を設定し、露光制御の精度を改善することができる。
【発明の効果】
【００１７】
本発明によれば、簡易かつ安価な回路構成で手間をかけずに最適な測光領域を設定し、露光制御の精度を改善することができる。
【発明を実施するための最良の形態】
【００１８】
本発明の骨子は、筐体に配設されているヒンジ部の状態から携帯端末装置のスタイルを検出し、検出されたスタイルに適した測光領域を設定することである。
【００１９】
以下、本発明の実施の形態について、図面を参照して詳細に説明する。
【００２０】
（実施の形態１）
図１は、本発明の実施の形態１に係る撮像装置を備えた携帯端末装置１００の要部構成を示すブロック図である。図１に示すように、携帯端末装置１００は、センサ１１０、測光部１２０、制御部１３０、姿勢検出部１４０、ヒンジ部１５０、ディスプレイ１６２を含む表示部１６０、およびメインバス１７０を有している。
【００２１】
センサ１１０は、被写体からの反射光を受光して被写体の画像を取得する。センサ１１０は、撮影時に被写体の画像を取得するだけではなく、撮影前にも常に被写体からの反射光を受光して、プレビュー画像を取得している。
【００２２】
測光部１２０は、制御部１３０によって設定された測光領域を測光する。測光部１２０による測光結果は、撮影時にセンサ１１０の露光制御に供される。
【００２３】
制御部１３０は、姿勢検出部１４０によって検出された携帯端末装置１００のスタイルに応じて測光部１２０における測光領域を設定する。具体的には、制御部１３０は、携帯端末装置１００が折り畳まれてデジタルカメラスタイルを採っている場合は、センサ１１０の画角全体を測光領域として設定する一方、携帯端末装置１００が開かれて自分撮りスタイルを採っている場合は、センサ１１０の画角の中央付近を測光領域として設定する。なお、デジタルカメラスタイルとは、携帯端末装置１００の筐体が折り畳まれ、センサ１１０の撮像方向の反対方向にディスプレイ１６２が向いている状態をいう。そして、自分撮りスタイルとは、携帯端末装置１００の筐体が開かれ、センサ１１０の撮像方向と同一方向にディスプレイ１６２が向いている状態をいう。これらの携帯端末装置１００のスタイルと測光領域の関係については、後に詳述する。
【００２４】
また、制御部１３０は、測光部１２０による測光結果からセンサ１１０の絞りおよびシャッター速度を制御（露光制御）する。
【００２５】
姿勢検出部１４０は、ヒンジ部１５０の状態から携帯端末装置１００のスタイルがデジタルカメラスタイルであるか自分撮りスタイルであるかを検出する。
【００２６】
ヒンジ部１５０は、携帯端末装置１００の筐体の長手方向略中央に配設され、筐体の長手方向に平行な軸および筐体の短手方向に平行な軸の２軸周りに筐体の半分ずつを互いに回転可能に支持している。
【００２７】
すなわち、図２に示すように、筐体の長手方向略中央に配設されたヒンジ部１５０は、ディスプレイ１６２を有する筐体の表示側半分１０１とユーザの操作用キーが配列された筐体の操作側半分１０２とが互いに矢印Ａ1方向に回転可能に支持している。さらに、ヒンジ部１５０は、表示側半分１０１が操作側半分１０２に対して矢印Ａ2方向に回転するようにも支持している。これらの矢印Ａ1方向および矢印Ａ2方向の回転を複合させることにより、携帯端末装置１００は自在にデジタルカメラスタイルおよび自分撮りスタイルなどの姿勢を採ることができる。なお、図２において、センサ１１０は、操作側半分１０２の図示しない面に配設されている。
【００２８】
表示部１６０は、センサ１１０によって取得された画像またはプレビュー画像をディスプレイ１６２に表示する。
【００２９】
次いで、上記のように構成された携帯端末装置１００の撮像動作について、図３に示すフロー図を参照して説明する。
【００３０】
まず、ユーザの操作などによって撮像動作が開始されると、姿勢検出部１４０によってヒンジ部１５０の状態が検知され、携帯端末装置１００の姿勢が検出される（ＳＴ１０００）。すなわち、姿勢検出部１４０によって、携帯端末装置１００がデジタルカメラスタイルを採っているか、自分撮りスタイルを採っているかが検出される。
【００３１】
携帯端末装置１００がデジタルカメラスタイルを採っている場合は、筐体が折り畳まれ、図４（ａ）に示すように表示側半分１０１側の面にディスプレイ１６２が位置し、図４（ｂ）に示すように操作側半分１０２側の面にセンサ１１０が位置している。したがって、デジタルカメラスタイルでは、センサ１１０の撮像方向とは反対方向に向かってディスプレイ１６２が画像を表示することになる。一方、携帯端末装置１００が自分撮りスタイルを採っている場合は、筐体が開かれ、図５に示すように表示側半分１０１のディスプレイ１６２と操作側半分１０２のセンサ１１０とが同一方向を向いている。
【００３２】
姿勢検出部１４０による姿勢検出の結果は、メインバス１７０を経由して制御部１３０に入力される。そして、制御部１３０によって、携帯端末装置１００が自分撮りスタイルを採っているか否かが判定される（ＳＴ１１００）。この判定の結果、携帯端末装置１００が自分撮りスタイルを採っていると判定された場合は、制御部１３０によってセンサ１１０の画角の中央付近が測光領域に設定され、その旨がメインバス１７０経由で測光部１２０へ伝えられる。そして、測光部１２０によって、設定された測光領域の測光が行われる（ＳＴ１２００）。測光結果は、メインバス１７０経由で制御部１３０に入力される。
【００３３】
一方、ＳＴ１１００の判定の結果、携帯端末装置１００がデジタルカメラスタイルを採っていると判定された場合は、制御部１３０によってセンサ１１０の画角全体が測光領域に設定され、その旨がメインバス１７０経由で測光部１２０へ伝えられる。そして、測光部１２０によって、設定された測光領域の測光が行われる（ＳＴ１３００）。測光結果は、メインバス１７０経由で制御部１３０に入力される。
【００３４】
ここで、上述したように、自分撮りスタイルとは、画像を取得するセンサ１１０と取得した画像を表示するディスプレイ１６２とが同一方向を向く姿勢であり、主にユーザがディスプレイ１６２を確認しながらユーザ自身をセンサ１１０によって撮像する時に採られる姿勢である。したがって、携帯端末装置１００が自分撮りスタイルを採る時には、センサ１１０の画角の中央付近に人物（ユーザ自身）が位置することになる。このため、携帯端末装置１００が自分撮りスタイルを採る場合には、制御部１３０は、測光領域をセンサ１１０の画角の中央付近に設定し、ユーザ自身が鮮明に撮像されるようにする。
【００３５】
一方、デジタルカメラスタイルでは、通常の風景などの被写体が撮像される。この場合には、センサ１１０の画角の中央付近を重点的に測光する必要がないため、制御部１３０は、測光領域をセンサ１１０の画角全体に設定し、画像全体が最大限に鮮明に撮像されるようにする。このように、携帯端末装置１００のスタイルによって被写体がある程度限定されるため、この被写体の特徴に応じて測光領域を設定することにより、被写体に最適な露光制御を行うことができ、結果として鮮明な画像を取得することができる。
【００３６】
測光結果が制御部１３０に入力されると、制御部１３０によって測光結果に応じた露光制御が行われる。すなわち、制御部１３０によってセンサ１１０の絞りやシャッター時間が調節される。そして、露光制御後、センサ１１０によって撮影が行われ、画像が取得される（ＳＴ１４００）。
【００３７】
取得された画像は、デジタルカメラスタイルまたは自分撮りスタイルに応じた最適な露光制御が行われた画像であり、特に、自分撮りスタイルで撮像した画像では、画像の中央付近に位置するユーザ自身が鮮明に撮像されている。
【００３８】
以上のように、本実施の形態によれば、携帯端末装置の筐体のヒンジ部の状態によって筐体の姿勢を検出し、姿勢に応じた測光領域を設定するため、被写体に適した露光制御を行うことができ、簡易かつ安価な回路構成で手間をかけずに最適な測光領域を設定し、露光制御の精度を改善することができる。
【００３９】
なお、本実施の形態においては、携帯端末装置が自分撮りスタイルを採る場合に、センサの画角の中央付近に測光領域を設定するものとしたが、例えばセンサの画角の端部に測光領域を設定するなどとしても良い。要するに、自分撮りスタイルの際に、重点的に測光すべき領域が測光領域となるように設定すれば良い。したがって、例えばあらかじめユーザが自分撮りスタイル時に測光領域とすべき領域を指定しておくようにしても良い。このようにした場合でも、一度だけ測光領域を指定すれば済むので、測光領域の設定に多くの手間がかかることはない。
【００４０】
また、本実施の形態においては、デジタルカメラスタイルであるか自分撮りスタイルであるかをヒンジの状態によって判定するものとしたが、本発明はこれに限定されない。要するに、カメラとディスプレイが互いに筐体の反対側に位置する姿勢であるか、または筐体の同一側に位置する姿勢であるかが検出されれば、デジタルカメラスタイルであるか自分撮りスタイルであるかが判定できる。
【００４１】
（実施の形態２）
本発明の実施の形態２の特徴は、ユーザの操作によって被写体が指定された場合は、ユーザの指定を優先して測光領域を設定するとともに、ディスプレイに測光領域枠を表示する点である。
【００４２】
図６は、実施の形態２に係る撮像装置を備えた携帯端末装置２００の要部構成を示すブロック図である。同図において、図１に示す携帯端末装置１００と同じ部分には同じ符号を付し、その説明を省略する。図６に示すように、携帯端末装置２００は、センサ１１０、測光部１２０、入力部２０２、制御部１３０ａ、姿勢検出部１４０、ヒンジ部１５０、ディスプレイ１６２と測光領域枠生成部２０４を含む表示部１６０ａ、およびメインバス１７０を有している。
【００４３】
入力部２０２は、図２に示した操作側半分１０２に配列されたキーなどを備え、ユーザからの入力を受け付ける。具体的には、入力部２０２は、例えばディスプレイ１６２に表示されるメニューからユーザが選択した、被写体に応じた撮像モードなどの入力を受け付ける。撮像モードの例としては、例えばＯＣＲ（Optical Character Reader）モード、バーコードモード、マクロモード、および風景モードなどがあり、それぞれの撮像モードに対応する適切な測光領域が用意されているものとする。
【００４４】
制御部１３０ａは、姿勢検出部１４０によって検出された携帯端末装置２００のスタイルに応じて測光部１２０における測光領域を設定する。ただし、本実施の形態においては、入力部２０２において特定の撮像モードが指定された場合は、制御部１３０ａは、携帯端末装置２００のスタイルではなく、指定された撮像モードに応じて測光部１２０における測光領域を設定する。また、制御部１３０ａは、測光部１２０による測光結果から露光制御を行う。
【００４５】
表示部１６０ａは、制御部１３０ａによって設定された測光領域を示す測光領域枠を測光領域枠生成部２０４において生成し、測光領域枠をセンサ１１０によって取得されたプレビュー画像に重ねた上でディスプレイ１６２に表示する。
【００４６】
次いで、上記のように構成された携帯端末装置２００の撮像動作について、図７に示すフロー図を参照して説明する。なお、図７において、図３と同じ部分には同じ符号を付し、その詳しい説明は省略する。
【００４７】
まず、ユーザの操作などによって撮像動作が開始されると、実施の形態１と同様に、ヒンジ部１５０の状態から携帯端末装置２００の姿勢が検出される（ＳＴ１０００）。同時に、入力部２０２によってユーザの入力が受け付けられており、ユーザによって撮像モードが指定されたか否かが判定される（ＳＴ２０００）。
【００４８】
ユーザから撮像モードを指定する入力がない場合は、実施の形態１と同様に、携帯端末装置２００の姿勢がデジタルカメラスタイルであるかまたは自分撮りスタイルであるかに応じて測光領域が設定され、測光部１２０によって測光が行われる（ＳＴ１１００からＳＴ１３００）。
【００４９】
一方、ＳＴ２０００の判定の結果、ユーザから撮像モードを指定する入力があった場合は、指定された撮像モードは、メインバス１７０経由で制御部１３０ａへ通知されて記憶される。そして、センサ１１０によって被写体の反射光が感知され、制御部１３０ａによる信号処理が行われてプレビュー画像が取得される（ＳＴ２１００）。なお、プレビュー画像の取得は、実施の形態１と同様に、常に行われるようにしても良い。
【００５０】
その後、制御部１３０ａによって、ユーザが指定した撮像モードに応じた適切な測光領域が設定され、設定された測光領域に対応する測光領域枠を生成する旨の指示が測光領域枠生成部２０４に出力される。この指示を受け、測光領域枠生成部２０４によって測光領域枠が生成され（ＳＴ２２００）、制御部１３０ａから出力されるプレビュー画像と重ねられた上でディスプレイ１６２に表示される（ＳＴ２３００）。
【００５１】
これにより、ユーザはプレビュー画像で被写体を確認するとともに、測光領域を確認することができ、精度が高い露光制御が行われるような撮像範囲と構図を決定することができる。
【００５２】
また、制御部１３０ａによって設定された測光領域は、メインバス１７０経由で測光部１２０へも通知され、測光部１２０によって、設定された測光領域の測光が行われる（ＳＴ２４００）。測光結果は、メインバス１７０経由で制御部１３０ａに入力される。
【００５３】
以下、実施の形態１と同様に、制御部１３０ａによって測光結果に応じた露光制御が行われ、センサ１１０によって撮影が行われ、画像が取得される（ＳＴ１４００）。
【００５４】
本実施の形態においては、携帯端末装置２００の姿勢のみから被写体を限定するのではなく、ユーザから指定があった場合は、ユーザの指定を優先して測光領域を設定する。このため、より確実に被写体に最適な露光制御を行うことができ、さらに鮮明な画像を取得することができる。
【００５５】
以上のように、本実施の形態によれば、ユーザから撮像モードの指定があった場合は、筐体のヒンジ部の状態から検出される筐体の姿勢ではなく、撮像モードに応じた測光領域を設定するため、より被写体に適した露光制御を行うことができる。また、撮像モードに応じた測光領域枠をプレビュー画像に重ねて表示するため、ユーザは、撮像範囲と構図を適切に決定して露光制御の精度を高めることができる。
【００５６】
本発明の第１の態様に係る撮像装置は、折り畳まれた姿勢および開かれた姿勢に自在に筐体を変形させるヒンジ部と、前記ヒンジ部の状態から前記筐体の姿勢を検出する検出手段と、検出された姿勢に応じた測光領域を設定する制御手段と、設定された測光領域を測光する測光手段と、測光結果に従った露光制御を行って被写体を撮像する撮像手段と、を有する構成を採る。
【００５７】
この構成によれば、ヒンジ部の状態から筐体の姿勢を検出し、この姿勢に応じて設定された測光領域を測光するため、筐体の姿勢によって被写体が限定される場合に、被写体に最適な測光領域を容易に設定することができ、簡易かつ安価な回路構成で手間をかけずに最適な測光領域を設定し、露光制御の精度を改善することができる。
【００５８】
本発明の第２の態様に係る撮像装置は、上記第１の態様において、前記制御手段は、前記筐体が折り畳まれた姿勢である場合は、前記撮像手段の撮像範囲全体を測光領域に設定する一方、前記筐体が開かれた姿勢である場合は、前記撮像手段の撮像範囲の一部分を測光領域に設定する構成を採る。
【００５９】
この構成によれば、筐体が開かれている場合は、撮像範囲の一部分を測光領域に設定するため、例えばユーザが筐体を開いてユーザ自身を撮像する場合、測光領域となる部分にユーザ自身の位置を決定することにより、ユーザ自身を鮮明に撮像することができる。
【００６０】
本発明の第３の態様に係る撮像装置は、上記第２の態様において、前記制御手段は、前記筐体が開かれた姿勢である場合は、前記撮像手段の撮像範囲の中央付近を測光領域に設定する構成を採る。
【００６１】
この構成によれば、筐体が開かれている場合は、撮像範囲の中央付近を測光領域に設定するため、ユーザがユーザ自身を撮像する場合、撮像範囲の中央付近に位置するユーザ自身が測光領域となって、構図が良好なユーザ自身の画像を取得することができる。
【００６２】
本発明の第４の態様に係る撮像装置は、上記第１の態様において、前記制御手段は、ユーザによって撮像モードが指定された場合は、前記筐体の姿勢よりも撮像モードを優先して測光領域を設定する構成を採る。
【００６３】
この構成によれば、ユーザによって指定された撮像モードを優先して測光領域を設定するため、筐体の姿勢のみから測光領域が設定されることがなく、ユーザの所望の測光領域を設定することができる。
【００６４】
本発明の第５の態様に係る撮像装置は、上記第１の態様において、前記制御手段によって設定された測光領域の範囲を示す測光領域枠を生成する生成手段と、生成された測光領域枠を前記撮像手段の撮像範囲に重ねて表示する表示手段と、をさらに有する構成を採る。
【００６５】
この構成によれば、測光領域枠を撮像範囲に重ねて表示するため、ユーザが測光領域を視認することができ、精度が高い露光制御が行われるような撮像範囲と構図を決定することができる。
【００６６】
本発明の第６の態様に係る携帯端末装置は、上記のいずれかに記載の撮像装置を有する構成を採る。
【００６７】
この構成によれば、上記のいずれかに記載の撮像装置と同様の作用効果を携帯端末装置において実現することができる。
【００６８】
本発明の第７の態様に係る携帯端末装置は、被写体を撮像して画像を取得する撮像手段と、取得された画像を前記撮像手段の撮像方向と同一方向または反対方向に向かって表示する表示手段と、前記撮像手段と前記表示手段が同一方向を向く姿勢であるか否かを検出する検出手段と、前記撮像手段と前記表示手段が同一方向を向いている場合は、測光領域を前記撮像手段の撮像範囲の一部分に設定する一方、前記撮像手段と前記表示手段が反対方向を向いている場合は、測光領域を前記撮像手段の撮像範囲全体に設定する制御手段と、設定された測光領域を測光する測光手段と、を有する構成を採る。
【００６９】
この構成によれば、撮像手段と表示手段が同一方向を向いている場合には測光領域を撮像範囲の一部分に設定し、撮像手段と表示手段が反対方向を向いている場合には測光領域を撮像範囲全体に設定するため、ユーザが表示画像を視認しながらユーザ自身を撮像する場合はユーザ自身の位置を測光するとともに、ユーザが表示画像を視認しながら風景などを撮像する場合は風景全体を測光するという自動制御が行われ、簡易かつ安価な回路構成で手間をかけずに最適な測光領域を設定し、露光制御の精度を改善することができる。
【００７０】
本発明の第８の態様に係る撮像方法は、折り畳まれた姿勢および開かれた姿勢に自在に筐体を変形させるヒンジ部を備えた撮像装置における撮像方法であって、前記ヒンジ部の状態から前記筐体の姿勢を検出するステップと、検出された姿勢に応じた測光領域を設定するステップと、設定された測光領域を測光するステップと、測光結果に従った露光制御を行って被写体を撮像するステップと、を有するようにした。
【００７１】
この方法によれば、ヒンジ部の状態から筐体の姿勢を検出し、この姿勢に応じて設定された測光領域を測光するため、筐体の姿勢によって被写体が限定される場合に、被写体に最適な測光領域を容易に設定することができ、簡易かつ安価な回路構成で手間をかけずに最適な測光領域を設定し、露光制御の精度を改善することができる。
【００７２】
本発明の第９の態様に係る撮像方法は、被写体を撮像して画像を取得する撮像手段と、取得された画像を前記撮像手段の撮像方向と同一方向または反対方向に向かって表示する表示手段と、を備えた撮像装置における撮像方法であって、前記撮像手段と前記表示手段が同一方向を向く姿勢であるか否かを検出するステップと、前記撮像手段と前記表示手段が同一方向を向いている場合は、測光領域を前記撮像手段の撮像範囲の一部分に設定する一方、前記撮像手段と前記表示手段が反対方向を向いている場合は、測光領域を前記撮像手段の撮像範囲全体に設定するステップと、設定された測光領域を測光するステップと、を有するようにした。
【００７３】
この方法によれば、ユーザが表示画像を視認しながらユーザ自身を撮像する場合はユーザ自身の位置を測光するとともに、ユーザが表示画像を視認しながら風景などを撮像する場合は風景全体を測光するという自動制御が行われ、簡易かつ安価な回路構成で手間をかけずに最適な測光領域を設定し、露光制御の精度を改善することができる。
【産業上の利用可能性】
【００７４】
本発明に係る撮像装置および撮像方法は、簡易かつ安価な回路構成で手間をかけずに最適な測光領域を設定し、露光制御の精度を改善することができ、例えばヒンジ部を備えて折り畳み可能な携帯端末装置に搭載される撮像装置および撮像方法などに有用である。
【図面の簡単な説明】
【００７５】
【図１】本発明の実施の形態１に係る携帯端末装置の要部構成を示すブロック図
【図２】実施の形態１に係る携帯端末装置の外観を示す略図
【図３】実施の形態１に係る携帯端末装置の撮像動作を示すフロー図
【図４】（ａ）実施の形態１に係る携帯端末装置のデジタルカメラスタイルを示す略図（ｂ）実施の形態１に係る携帯端末装置のデジタルカメラスタイルを示す他の略図
【図５】実施の形態１に係る携帯端末装置の自分撮りスタイルを示す略図
【図６】本発明の実施の形態２に係る携帯端末装置の要部構成を示すブロック図
【図７】実施の形態２に係る携帯端末装置の撮像動作を示すフロー図
【符号の説明】
【００７６】
１１０  センサ
１２０  測光部
１３０、１３０ａ  制御部
１４０  姿勢検出部
１５０  ヒンジ部
１６０、１６０ａ  表示部
１６２  ディスプレイ
１７０  メインバス
２０２  入力部
２０４  測光領域枠生成部
【図１】
2006079021.tif 000003
【図２】
2006079021.tif 000004
【図３】
2006079021.tif 000005
【図４】
2006079021.tif 000006
【図５】
2006079021.tif 000007
【図６】
2006079021.tif 000008
【図７】
2006079021.tif 000009